(57)【特許請求の範囲】
【請求項１】
透光性部材からなる発光部と、発光部に投光可能な投光部とでなる照明具を備え、前記発光部は、カウンター表面に形成した凹部に隙間無く埋め込み、発光部の少なくとも一部は、カウンター表面を照明するように凹部から露出させていることを特徴とするキッチンカウンター。
【請求項２】
前記発光部は、カウンターのバックガードに設けていることを特徴とする請求項１に記載のキッチンカウンター。
【請求項３】
前記投光部は、発光部の長手方向の端部に設置していることを特徴とする請求項１または２に記載のキッチンカウンター。
【請求項４】
前記発光部は、カウンターの表面に設けるとともに、前記投光部は、カウンターの裏面に設置して、カウンターの裏面側で発光部と投光部とを導光部材で連結したことを特徴とする請求項１〜３のいずれか一項に記載のキッチンカウンター。
【請求項５】
前記発光部と投光部とを複数個設けて、所望の発光部を選択的に発光できるように構成したことを特徴とする請求項１〜４のいずれか一項に記載のキッチンカウンター。
【発明の詳細な説明】
【技術分野】
【０００１】
本発明は、照明具を組み込んだキッチンカウンターに関するものである。
【背景技術】
【０００２】
従来、キッチンカウンターのカウンター表面を照明するものとして、キッチンの天井に取り付けた蛍光灯などの照明具で照明するのが一般的である。
【０００３】
また、発光ダイオードからなる光源（照明具）をフロアキャビネットとウォールキャビネットとの間の壁面に設けた可動ラックに取り付けて、カウンターを照明するものも知られている（特許文献１参照）。
【０００４】
従来の照明具では、透明カバー部材で蛍光管等を覆って、蛍光管等に汚れが直接付着しないようにしている。
【特許文献１】特開２００１−２５８６６２号公報
【発明の開示】
【発明が解決しようとする課題】
【０００５】
しかしながら、キッチンカウンター回りの照明具は、非常に汚れやすい状況にあることから、透明カバー部材を清掃したり、この透明カバー部材を外して蛍光管等を清掃したりしなければならないので、手入れが煩わしいという問題があった。
【０００６】
また、照明具としては、透明カバー部材を必要とするから、製品コストが高くなるという問題があった。
【０００７】
本発明は、前記課題を解決するためになされたものであり、手入れが容易で、製品コストも安くなるように、照明具を組み込んだキッチンカウンターを提供することを目的としている。
【課題を解決するための手段】
【０００８】
前記課題を解決するために、本発明は、透光性部材からなる発光部と、発光部に投光可能な投光部とでなる照明具を備え、前記発光部は、カウンター表面に形成した凹部に隙間無く埋め込み、発光部の少なくとも一部は、カウンター表面を照明するように凹部から露出させていることを特徴とするキッチンカウンターを提供するものである。
【００１０】
前記発光部は、カウンターのバックガードに設けている構成とすることができる。
【００１１】
前記投光部は、発光部の長手方向の端部に設置している構成とすることができる。
【００１２】
前記発光部は、カウンターの表面に設けるとともに、前記投光部は、カウンターの裏面に設置して、カウンターの裏面側で発光部と投光部とを導光部材で連結した構成とすることができる。
【００１３】
前記発光部と投光部とを複数個設けて、所望の発光部を選択的に発光可能である構成とすることができる。
【発明の効果】
【００１４】
本発明によれば、透光性部材からなる発光部をカウンター表面に形成した凹部に隙間無く埋め込み、発光部の少なくとも一部は、カウンター表面を照明するように凹部から露出させているため、投光部から投光された光が発光部から発光することで、カウンター表面が照明されるようになる。そして、濡れたカウンター面をフキン等で拭く操作と同様にして発光部を拭くことで、発光部の汚れを清掃できるようになる。したがって、従来のような透明カバー部材の清掃や透明カバー部材を外しての蛍光管等の清掃が不要となるので、手入れが容易になる。また、透明カバー部材が不要になるので、製品コストが安くなる。
【発明を実施するための最良の形態】
【００１５】
以下、本発明を実施するための最良の形態について説明する。なお、以下の実施形態では対面式のシステムキッチンを例として説明するが、これに限定されるものではない。
【００１６】
図１に、本発明の一実施形態にかかる対面式のシステムキッチン１を示す。システムキッチン１は、カウンター（キッチンカウンター）２と、フロアキャビネット３とで構成されている。
【００１７】
カウンター２は、人工大理石等で横長長方形状に形成されて、カラン２３やシンク２４等が設けられている。
【００１８】
カウンター２の後端部には、長手方向の全長に亘って上方に立ち上がるバックガード２２が形成されている。このバックガード２２は、カウンター２の表面にこぼれた水等がダイニングリビング側に滴下しないようにガードするものである。
【００１９】
図２（ａ）（ｂ）に示すように、バックガード２２のカウンター表面側には、長手方向の全長に亘って、側面視で円形状の凹部２２ａが形成され、この凹部２２ａ内には、透光性部材（例えばガラスや透明アクリル）からなる円形棒状の発光部４１が隙間無く埋めこまれている。このため、発光部４１の一部は、凹部２２ａの開口２２ｂからカウンター表面側に露出している。なお、凹部２２ａ内に発光部４１を接着剤等で接着固定することが好ましい。
【００２０】
発光部４１の一端部〔図２（ａ）では右端部〕には、投光部４２が設置されている。投光部４２は、例えば発光ダイオード（ＬＥＤ）やフォトダイオード（ＰＤ）であり、投光部４２から投光された光は、発光部４１の一端部に入射されて、図２（ａ）に矢印ａで示すように、発光部４１の他端部〔図２（ａ）では左端部〕方向に導光されるようになる。この投光部４２と発光部４１とで照明具４が構成される。
【００２１】
前記のように、カウンター２のバックガード２２に形成した凹部２２ａに発光部４１を埋め込んで、発光部４１の少なくとも一部を凹部２２ａの開口２２ｂから露出させることにより、投光部４２から投光された光は、開口２２ｂで露出した発光部から発光（矢印ｂ参照）することで、カウンター表面が照明されるようになる。
【００２２】
そして、濡れたカウンター面をフキン等で拭く操作と同様にして、バックガード２２とともに発光部４１を拭くことで、発光部４１の汚れを清掃できるようになる。
【００２３】
したがって、従来のような透明カバー部材の清掃や透明カバー部材を外しての蛍光管等の清掃が不要となるので、手入れが容易になって便利になる。
【００２４】
また、透明カバー部材が不要になるので、製品コストが安くなるとともに、発光部は、手元を明るくできる補助照明としても利用可能であるとともに、例えば、キッチン側やダイニングリビング側の照明を暗くすれば、カウンター表面だけが照明されるので、インテリア照明としての効果も得ることができる。
【００２５】
図２（ａ）（ｂ）の実施形態では、発光部４１をバックガード２２の凹部２２ａに埋め込んだものであったが、図２（ｃ）のように、バックガード２２の表面に、四角形棒状の発光部４１を貼り付けたものであっても良い。この場合でも手入れが容易で、製品コストも安く、照明具４をカウンター２に組み込むことができる。また、発光部４１の露出部分を大きくすることができるので、より明るく照明することができる。なお、発光部４１の一部、例えば上面等に遮光用コートを施すことも可能である。
【００２６】
前記実施形態では、発光部４１の長手方向の一端部に投光部４２を設けたが、発光部４１の両端部に投光部４２を設けてもよい。この場合には、発光部４１が長尺になっても、発光部４１全体からほぼ均一に発光できるとともに、発光部４１に供給できる光量が大きくできるため、より明るく照明することができる。
【００２７】
また、投光部４２を発光部４１の長手方向の端部に設置することで、照明具４（発光部４１と投光部４２）としての構造がシンプルになる。
【００２８】
図３は、カウンター２の表面に発光部４１を設けた実施形態である。図３（ａ）に示すように、カウンター２のバックガード２２側には、長手方向に所定の間隔で複数個（図３（ａ）では５個）の凹部２ａが形成され、この凹部２ａ内には、透光性部材（例えばガラスや透明アクリル）からなる長方形状の発光部４１がカウンター２の表面と面一となるように、隙間無く埋めこまれている。なお、凹部２ａ内に発光部４１を接着剤等で接着固定することが好ましい。また、発光部４１は、円形状、楕円形状、長方形状以外の多角形状であっても良い。
【００２９】
投光部４２は、カウンター２の裏面に設置されており、投光部４２と各発光部４１とは、光ファイバ等の光を導光できる導光部材４３で連結されている。なお、図３（ａ）では、投光部４２と左端の発光部４１だけが導光部材４３で連結されているように描いているが、実際は投光部４２とすべての発光部４１とが導光部材４３で連結されている。
【００３０】
図３（ｂ）の例は、導光部材４３は、カウンター２の裏面に接着して、発光部４１に対応する箇所で、凹部２ａに開けた貫通穴２ｂを貫通させて発光部４１と連結している。
【００３１】
図３（ｃ）の例は、投光部４２と導光部材４３とをカウンター２の裏面に形成された凹部２ｃに埋め込んだものである。
【００３２】
前記実施形態では、導光部材４３で１つの投光部４２と複数の発光部４１とを連結しているために、各発光部４１が離れて設けられていても、１つの投光部４２で全ての発光部４１から発光させることができる。
【００３３】
また、発光部４１毎に投光部４２を設けて、所望の発光部４１を選択的に発光させることができる。例えば、図３（ａ）の例では、左端と右端と真ん中の計３個の発光部４１を発光させることができる。この場合には、消費電力を抑えることができ、インテリア照明としての効果も得ることができる。
【００３４】
図４は、カウンター２の後端部のバックガード２２と、カウンター２の前端部の隆起部２５とに発光部４１を設けた実施形態である。
【００３５】
このように、カウンター２の後端部のバックガード２２と、カウンター２の前端部の隆起部２５とに発光部４１を設ければ、カウンター表面をより明るく照明することができる。なお、いずれか一方の発光部４１のみで照明することもできる。
【００３６】
図２の実施形態では、発光部４１をバックガード２２に設けたが、バックガード２２を透光性部材で形成して発光部４１とすることも可能である。また、発光部４１は、バックガード２２においても、図３の実施形態のように、長手方向に所定の間隔で複数個を設けることも可能である。このように、発光部４１を間欠的に設ければ、発光部４１の色彩を変えて（例えば、透明以外に、淡い水色や黄色等）、インテリア照明としての効果も得ることができる。
【図面の簡単な説明】
【００３７】
【図１】本発明に係るシステムキッチン全体の斜視図である。
【図２】本発明の実施形態であるキッチンカウンターであり、（ａ）は斜視図、（ｂ）は（ａ）のＡ−Ａ線断面図、（ｃ）は変形例の（ａ）のＡ−Ａ線断面図である。
【図３】本発明の他の実施形態であるキッチンカウンターであり、（ａ）は斜視図、（ｂ）は側面図、（ｃ）は変形例の側面図である。
【図４】本発明の他の実施形態であるキッチンカウンターであり、（ａ）は斜視図、（ｂ）は側面図である。
【符号の説明】
【００３８】
１  システムキッチン
２  カウンター（キッチンカウンター）
３  フロアキャビネット
４  照明具
２２  バックガード
２２ａ  凹部
４１  発光部
４２  投光部
４３  導光部材
【図１】
0004552774.tif 000002
【図２】
0004552774.tif 000003
【図３】
0004552774.tif 000004
【図４】
0004552774.tif 000005